(57)【要約】建設中の多層階建物の階の内側に着脱自在に設置可能な外枠と、外枠内で、階の内側の引込位置と階の外側の引出位置との間で摺動可能な内枠と、を備える主ホイストプラットフォームにおいて、内枠は、内枠の後上方に位置するウィンチと内枠の前上方に位置するシーブとを備えるホイストを取り付けるための枠組構造を備えている。【選択図】図１
2021501730.tif 000002
【特許請求の範囲】
【請求項１】
建設中の多層階建物の階の内側に着脱自在に設置可能な外枠と、
前記外枠内で、前記階の内側の引込位置と前記階の外側の引出位置との間で摺動可能な内枠と、
を備える主ホイストプラットフォームにおいて、
前記内枠は、前記内枠の後上方に位置するウィンチと前記内枠の前上方に位置するシーブとを備えるホイストを取り付けるための枠組構造を備えている、主ホイストプラットフォーム。
【請求項２】
前記内枠は更に、前記ウィンチの下方の床板と、前記シーブの下方の開口と、を備えている、請求項１の主ホイストプラットフォーム。
【請求項３】
前記開口は、積載容器を垂直に収容するように構成されている、請求項１の主ホイストプラットフォーム。
【請求項４】
前記外枠は、少なくとも部分的に、前記多層階建物の前記階の縁部を超えて延びている、請求項１の主ホイストプラットフォーム。
【請求項５】
前記ホイストは、前記内枠が前記引込位置にあるときには、前記多層階建物の前記階の前記縁部よりも完全に内側に位置している、請求項１の主ホイストプラットフォーム。
【請求項６】
前記内枠の前記シーブ及び前記開口は、前記内枠が前記引出位置にあるときには、前記多層階建物の前記階の前記縁部よりも完全に外側に位置している、請求項５の主ホイストプラットフォーム。
【請求項７】
前記シーブは、前記内枠の上前部分に取り付けられたチェーン駆動機構を介して、前記階の前記縁部に対して水平方向に移動可能である、請求項５の主ホイストプラットフォーム。
【請求項８】
前記外枠は、一対の平行に離隔したＩ型梁を備えている、請求項１の主ホイストプラットフォーム。
【請求項９】
各Ｉ型梁上には、互いに離隔した一対の支柱があり、
各支柱は、垂直位置から前記外枠の内側の水平位置へと内方に折り畳み可能である、請求項８の主ホイストプラットフォーム。
【請求項１０】
建設中の多層階建物の階の内側に着脱自在に設置可能な外枠と、
前記外枠内で、前記階の内側の引込位置と前記階の外側の引出位置との間で摺動可能な内枠と、
を備える副積載プラットフォームにおいて、
前記内枠は、少なくとも１つの横開き式ゲートを備えた手すり構造を有する床板を備えている、副積載プラットフォーム。
【請求項１１】
建設中の多層階建物の上層階の内側に着脱自在に設置された、請求項１の主ホイストプラットフォームと、
前記多層階建物の下層階において、前記主ホイストプラットフォームの下方に着脱自在に設置された、少なくとも１つの請求項１０の副積載プラットフォームと、
を備える、ホイストプラットフォームシステム。
【請求項１２】
多層階建物の建設にあたり、請求項１１のホイストプラットフォームシステムを使用して積荷を昇降させることを備える、方法。
【発明の詳細な説明】
【技術分野】
【０００１】
[0001]  本発明は、多層階建物建設用ホイストプラットフォームシステムに関する。
【背景技術】
【０００２】
[0002]  多層階建物は、典型的には、タワークレーンを使用し、異なる階に設置された格納式積載プラットフォーム内に建材、工具及び廃棄物を昇降させて建設される。
【０００３】
[0003]  タワークレーン及び従来の格納式積載プラットフォームにはいくつかの欠点がある。タワークレーンは一般に、建設の全体的な時間及び費用を増大させる、建物建設プロジェクトのネックである。また、タワークレーンの運転には安全な風況及び熟練した人材も必要であり、このことが建設の時間及び費用を一層増大させる。更に、従来の格納式積載プラットフォームは、典型的に、建物の各階内側に格納されたときに側方での積荷の積み降ろしを妨げる枠組構造を有する。
【発明の概要】
【発明が解決しようとする課題】
【０００４】
[0004]  このような状況において、多層階建物の建設にあたり、積荷を昇降させるための改良された解決策の必要性が存在する。
【課題を解決するための手段】
【０００５】
[0005]  本発明によれば、
建設中の多層階建物の階の内側に着脱自在に設置可能な外枠と、
外枠内で、階の内側の引込位置と階の外側の引出位置との間で摺動可能な内枠と、
を備える主ホイストプラットフォームが提供され、
内枠は、内枠の後上方に位置するウィンチと内枠の前上方に位置するシーブとを備えるホイストを取り付けるための枠組構造を備える。
【０００６】
[0006]  内枠は更に、ウィンチの下方の床板と、シーブの下方の開口とを備えていてもよい。
【０００７】
[0007]  開口は、積載容器を垂直に収容するように構成されていてもよい。
【０００８】
[0008]  外枠は、少なくとも部分的に、多層階建物の階の縁部を超えて延びていてもよい。
【０００９】
[0009]  ホイストは、内枠が引込位置にあるときには、多層階建物の階の縁部よりも完全に内側に位置していてもよい。
【００１０】
[0010]  内枠のシーブ及び開口は、内枠が引出位置にあるときには、多層階建物の階の縁部よりも完全に外側に位置していてもよい。
【００１１】
[0011]  シーブは、内枠の上前部分に取り付けられたチェーン駆動機構を介して、階の縁部に対して水平方向に移動可能であってもよい。
【００１２】
[0012]  外枠は、一対の平行に離隔したＩ型梁を備えていてもよい。
【００１３】
[0013]  各Ｉ型梁上には互いに離隔した一対の支柱があってもよく、各支柱は垂直位置から外枠の内側の水平位置へと内方に折り畳み可能であってもよい。
【００１４】
[0014]  本発明は、
建設中の多層階建物の階の内側に着脱自在に設置可能な外枠と、
外枠内で、階の内側の引込位置と階の外側の引出位置との間で摺動可能な内枠と、
を備える副積載プラットフォームも提供するものであり、
内枠は、少なくとも１つの横開き式ゲートを備えた手すり構造を有する床板を備えている。
【００１５】
[0015]  本発明は更に、
建設中の多層階建物の上層階の内側に着脱自在に設置された主ホイストプラットフォームと、
多層階建物の下層階に、主ホイストプラットフォームの下方に着脱自在に設置された、少なくとも１つの副積載プラットフォームと、
を備えるホイストプラットフォームシステムを提供する。
【００１６】
[0016]  また、本発明は、多層階建物の建設にあたり、上述したホイストプラットフォームシステムを使用して積荷を昇降させることを備える方法も提供する。
【図面の簡単な説明】
【００１７】
[0017]  次に、本発明の実施形態を、単なる例として、添付の図面を参照して説明する。
【図１】本発明の一実施形態による主ホイストプラットフォームの引込位置における斜視図である。
【図２】主ホイストプラットフォームの引出位置における斜視図である。
【図３】主ホイストプラットフォームの引込位置における側面図である。
【図４】主ホイストプラットフォームの引出位置における側面図である。
【図５】本発明の別の一実施形態による副積載プラットフォームの引込位置における斜視図である。
【図６】副積載プラットフォームの引出位置における斜視図である。
【図７】副積載プラットフォームの引込位置における側面図である。
【図８】副積載プラットフォームの引出位置における側面図である。
【図９】本発明の別の一実施形態による、多層階建物建設用ホイストプラットフォームシステムの側面図である。
【発明を実施するための形態】
【００１８】
[0018]  図１から図４を参照すると、本発明の一実施形態による主ホイストプラットフォーム１０は概して、外枠１４内で摺動可能な内枠１２を備える。外枠１４は、建設中の多層階建物１８の階１６の内側に着脱自在に設置可能であってもよい。内枠１２は、階１６の内側の引込位置（図１及び図３）と階１６の外側の引出位置（図２及び図４）との間で、例えばローラ又はホイール上を摺動可能であってもよい。内枠１２は、係止ピン（図示しない）を介して引込位置及び引出位置に係止可能であってもよい。
【００１９】
[0019]  内枠１２は、内枠１２の後上方に位置するウィンチ２２（図１及び図２には図示しない）と内枠１２の前上方に位置するシーブ２４とを備えるホイストを取り付けるための枠組構造２０を備えていてもよい。枠組構造２０は、側枠部材及び上枠部材と、シーブ部材とを備えていてもよい。シーブ２４及びウィンチ２２には、ワイヤロープ２８（図１及び図２には図示しない）によって、揚重梁２６が接続されていてもよい。
【００２０】
[0020]  内枠１２は更に、ウィンチ２２の下方の後部床板３０と、シーブ２４の下方の前部水平開口３２とを備えていてもよい。多層階建物１８の階１６と後部床板３０との間には、傾斜路（図示しない）が設けられてもよい。図４に示されるように、前部水平開口３２は、積載容器３４を垂直に収容するように構成されていてもよい。
【００２１】
[0021]  図３及び図４に示されるように、外枠１４は、少なくとも部分的に、多層階建物１８の階１６の縁部を超えて延びていてもよい。例えば、外枠１４は、多層階建物１８の階１６の縁部に重なる前端横桁３６を備えていてもよい。図３に示されるように、ホイストは、内枠１２が引込位置にあるときには、多層階建物１８の階１６の縁部よりも完全に内側に位置していてもよい。図４に示されるように、内枠１２内のシーブ２４及び前部水平開口３２は、内枠１２が引出位置にあるときには、多層階建物１８の階１６の縁部よりも完全に外側に位置していてもよい。シーブ２４は、内枠１２の上前部分に取り付けられたチェーン駆動機構２５を介して、階１６の縁部に対して水平方向に移動可能であってもよい。これにより、積荷が建物縁部１６から機械的に出し入れされることが有利に可能になる。
【００２２】
[0022]  内枠１２が引込位置にあるときには、積載容器３４は、枠組構造２０のウィンチ２２と床板３０との間にある垂直後部開口３８を介して積載され得る。内枠１２が引出位置にあるときには、積載容器３４は、前部水平開口３２を通じて昇降され得る。
【００２３】
[0023]  外枠１４は、一対の平行に離隔したＩ型梁４０を備えていてもよい。各Ｉ型梁４２上には互いに離隔した一対の支柱４２があってもよい。各支柱４２は垂直位置から外枠１４の内側の水平位置へと内方に折り畳み可能であってもよい。
【００２４】
[0024]  図５から図８を参照すると、本発明の一実施形態による副積載プラットフォーム５０は概して、外枠５４内で摺動可能な内枠５２を備える。副積載プラットフォーム５０の内枠５２及び外枠５４は、主ホイストプラットフォーム１０の内枠１２及び外枠１４と構成及び機能が類似している。ただし、内枠５２は、一対の横開き式ゲート６０（図７及び図８には図示しない）を備えた手すり構造５８を有する床板５６を備えている。多層階建物１８の階１６と床板５６との間には、傾斜路６２が設けられてもよい。
【００２５】
[0025]  副積載プラットフォーム５０の内枠５２が引出位置にあるときには、積載容器３４は、主ホイストプラットフォーム１０を用いて床板５６から持ち上げられ又は同床板に降ろされ得る。副積載プラットフォーム５０の内枠５２が引込位置にあるときには、積載容器３４は、一対の横開き式ゲート６０を介して及び／又は手すり構造５８の後部開口を介して積み込み又は積み降ろしされ得る。
【００２６】
[0026]  図９はホイストプラットフォームシステム１００の一実施形態を図示しており、これは概して、多層階建物１８の上層階１６ａの内側に着脱自在に設置された主ホイストプラットフォーム１０と、多層階建物１８の下層階１６ｂ，１６ｃ，１６ｄにおいて主ホイストプラットフォーム１０の下方に着脱自在に設置された副積載プラットフォーム５０とを備えている。多層階建物１８の建設にあたって階１６ａ，１６ｂ，１６ｃ，１６ｄへ積荷を持ち上げるとともにこれらの階から積荷を降ろすために、積載容器３４は、主ホイストプラットフォーム１０と副積載プラットフォーム５０との間で昇降され得る。
【００２７】
[0027]  副積載プラットフォーム５０を、主ホイストプラットフォーム１０と共に使用してホイストプラットフォームシステム１００を提供するのに適したものとしてのみ例示的に説明してきたが、副積載プラットフォーム５０の実施形態は、代替的には、主ホイストプラットフォーム１０とは独立して、単独で用いられてもよいことが理解されるであろう。換言すれば、副積載プラットフォーム５０は、側方の積載能力に欠ける従来の格納式積載プラットフォームの代案又は代替物として用いられ得る。
【００２８】
[0028]  本発明の実施形態は、多層階建物の建設にあたって積荷を昇降させるのに有用なホイストプラットフォームシステムを提供する。
【００２９】
[0029]  本明細書においては、「備えている」という語は「含むが限定されない」ことを意味し、「備える」という語はこれに対応する意味を有する。
【００３０】
[0030]  上記の実施形態は例としてのみ記載されたものであって、以下の特許請求の範囲内で変形することが可能である。
【図１】
2021501730.tif 000003
【図２】
2021501730.tif 000004
【図３】
2021501730.tif 000005
【図４】
2021501730.tif 000006
【図５】
2021501730.tif 000007
【図６】
2021501730.tif 000008
【図７】
2021501730.tif 000009
【図８】
2021501730.tif 000010
【図９】
2021501730.tif 000011
【手続補正書】
【提出日】令和1年12月17日(2019.12.17)
【手続補正１】
【補正対象書類名】特許請求の範囲
【補正対象項目名】全文
【補正方法】変更
【補正の内容】
【特許請求の範囲】
【請求項１】
建設中の多層階建物の階において前記階の内側に着脱自在に設置可能な定置外枠と、
前記定置外枠内で、前記階の内側の引込位置と前記階の外側の引出位置との間で摺動可能な可動内枠と、
を備える主ホイスト及び積載プラットフォームにおいて、
前記可動内枠は、積荷が前記引込位置の前記可動内枠に支持されることを可能にするのに十分な高さで前記可動内枠の後上方に位置するウィンチと前記十分な高さで前記可動内枠の前上方に位置するシーブとを備えるホイストを取り付けるための直立枠組構造を備えており、
前記シーブは、前記ウィンチに対して水平方向に移動可能であり、
前記可動内枠は、前記シーブの下方に、積荷が引出位置の前記可動内枠を通過することを可能にするのに十分な開口を有する、主ホイスト及び積載プラットフォーム。
【請求項２】
建設中の多層階建物の階において前記階の内側に着脱自在に設置可能な定置外枠と、
前記定置外枠内で、前記階の内側の引込位置と前記階の外側の引出位置との間で摺動可能な可動内枠と、
を備える副積載プラットフォームにおいて、
前記可動内枠は、少なくとも１つの横開き式ゲートを備えた手すり構造を有する床板を備えており、
前記副積載プラットフォームの前記可動内枠は、形状及び寸法が、請求項１の主ホイスト及び積載プラットフォームの前記可動内枠と相補的である、副積載プラットフォーム。
【請求項３】
建設中の多層階建物の上層階の内側に着脱自在に設置された、請求項１の主ホイスト及び積載プラットフォームと、
前記多層階建物の下層階において、前記主ホイスト及び積載プラットフォームの下方に着脱自在に設置された、少なくとも１つの請求項２の副積載プラットフォームと、
を備える、ホイストプラットフォームシステム。
【請求項４】
多層階建物の建設にあたり、請求項３のホイストプラットフォームシステムを使用して積荷を昇降させるとともに支持することを備える、方法。
【国際調査報告】
2021501730.tif 000012
2021501730.tif 000013
2021501730.tif 000014
2021501730.tif 000015
2021501730.tif 000016
2021501730.tif 000017